(57)【要約】【課題】波長分割多重伝送方式において、一定の関係式に基づき、信号の導通状態で各経路損失値を算出することを目的とする。【解決手段】合波信号増幅器４の増幅率Ｇ０と出力電力Ｐ０、Ｐ１、Ｐ２及び経路損失値の間に成り立つ一定の関係式によって、合波信号増幅器４の増幅率Ｇ０を調整することにより、各増幅器の出力電力を微小変動させ別の関係式を成立させる。これを未知数である経路損失値の個数分繰り返すことにより、複数の関係式を導出し、これらの関係式を解くことにより、経路遮断を行うことなく、光信号が導通した状態で各経路損失値を測定することができる。【選択図】        図１
2004212176.tif 000002
【特許請求の範囲】
【請求項１】
入力された複数の入力信号を各々増幅し、複数の信号として出力する複数の入力信号増幅器と、
上記複数の入力信号増幅器が出力した複数の信号を合波信号として合波する合波器と、
上記合波器が合波した合波信号を増幅して出力する合波信号増幅器と、
上記合波信号増幅器が合波信号を増幅する増幅率を測定する増幅率測定部と、
上記複数の入力信号増幅器が出力した複数の信号の出力電力と上記合波信号増幅器が出力した合波信号の出力電力とを各々測定する複数の出力電力測定部と、
上記増幅率測定部が測定した増幅率と上記複数の出力電力測定部が測定した複数の信号の出力電力と合波信号の出力電力とを所定の関係式に代入することによって上記複数の信号と合波信号との各信号が経路伝送時に損失する各信号の経路損失値を演算する演算部とを備える測定装置。
【請求項２】
入力された入力信号を増幅して出力する入力信号増幅器と、
上記入力信号増幅器が出力した信号を複数の分波信号として分波する分波器と、
上記分波器が分波した複数の分波信号を増幅して出力する複数の分波信号増幅器と、
上記入力信号増幅器が入力信号を増幅する増幅率を測定する増幅率測定部と、
上記入力信号増幅器が出力した信号の出力電力と上記複数の分波信号増幅器が出力した複数の分波信号の出力電力とを各々測定する複数の出力電力測定部と、
上記増幅率測定部が測定した増幅率と上記複数の出力電力測定部が測定した信号の出力電力と複数の分波信号の出力電力とを所定の関係式に代入することによって上記信号と複数の分波信号との各信号が経路伝送時に損失する各信号の経路損失値を演算する演算部とを備える測定装置。
【請求項３】
上記演算部は、光ファイバを経路として上記各信号の経路損失値を演算する請求項１または請求項２のいずれかに記載の測定装置。
【請求項４】
入力された複数の信号を各々増幅して出力し、
上記出力した複数の信号を合波して合波信号として出力し、
上記出力した合波信号を増幅して出力し、
上記出力した合波信号を増幅する増幅率を測定し、
上記出力した複数の信号の出力電力と上記出力した合波信号の出力電力とを各々測定し、
上記測定した増幅率と上記測定した複数の信号の出力電力と上記測定した合波信号の出力電力とを所定の関係式に代入することによって、上記測定した複数の信号と上記測定した合波信号とが経路伝送時に各々損失する各信号の経路損失値を算出する測定方法。
【請求項５】
入力された信号を増幅して出力し、
上記出力した信号を複数の分波信号として分波し、
上記分波した複数の分波信号を増幅して出力し、
上記入力された信号を増幅する増幅率を測定し、
上記出力した信号の出力電力と上記出力した複数の分波信号の出力電力とを各々測定し、
上記測定した増幅率と上記測定した信号の出力電力と上記測定した複数の分波信号の出力電力とを所定の関係式に代入することによって、上記測定した信号と上記測定した複数の分波信号とが経路伝送時に各々損失する各信号の経路損失値を算出する測定方法。
【発明の詳細な説明】
【０００１】
【発明の属する技術分野】
本発明は、増幅器を用いた通信システムを構成する送受信装置のうち、増幅器へ複数の異なる中心波長の信号を用いた波長多重伝送（ＷＤＭ：ＷＡＶＥＬＥＮＧＴＨ  ＤＩＶＩＳＩＯＮ  ＭＵＬＴＩＰＬＥＸ）に関し、特に波長多重分離部における信号送受信経路が異なるシステムにおける経路損失測定方法の適用に関する。
【０００２】
【従来の技術】
光通信システムにおいて、伝送路を増やすことなく伝送容量を拡大する手段として、波長分割多重伝送方式（ＷＤＭ）が知られている。この方式は、互いに中心波長の異なる複数の光信号を、光送信側に光合波器を配置して合成し、光ファイバ伝送路を伝送後に、光受信側で光分波器により再び各波長の光信号に分割することにより、光ファイバ伝送路を増やすことなく伝送容量を増大させるというものである。このとき、各波長の信号光は波長多重分離部を経由するため、光合分波器通過ポートの違い、各光コネクタ接続損失のバラツキ、分散補償ファイバ有無等、各波長毎に通過経路が異なる。このため必然的に経路通過時の損失値も異なる。従来技術では、各通過経路毎に損失経路を通過する前後の光出力をモニタし、その差から経路損失値を算出している（例えば、特許文献１参照）。
【０００３】
【特許文献１】
特開平６−５１３５５号公報
【０００４】
【発明が解決しようとする課題】
従来技術として、送信側の２波合波経路を例にあげる。各光ファイバ増幅器間の経路損失値測定のためには、一方の光信号の通過経路を遮断した後、他方の光信号の通過経路における、各光ファイバ増幅器の光増幅率、光出力パワーを測定し、それらの値から演算する必要があり、光信号を導通した状態では、測定を行うことが出来なかった。
【０００５】
本発明は、増幅器を用いた通信システムに波長分割多重伝送方式を導入し、多重分離部において送受信経路が異なる場合に、各経路の損失値を、経路遮断を行うことなく、信号が導通した状態で測定することを目的とする。
【０００６】
【課題を解決するための手段】
本発明は、入力された複数の入力信号を各々増幅し、複数の信号として出力する複数の入力信号増幅器と、
上記複数の入力信号増幅器が出力した複数の信号を合波信号として合波する合波器と、
上記合波器が合波した合波信号を増幅して出力する合波信号増幅器と、
上記合波信号増幅器が合波信号を増幅する増幅率を測定する増幅率測定部と、
上記複数の入力信号増幅器が出力した複数の信号の出力電力と上記合波信号増幅器が出力した合波信号の出力電力とを各々測定する複数の出力電力測定部と、
上記増幅率測定部が測定した増幅率と上記複数の出力電力測定部が測定した複数の信号の出力電力と合波信号の出力電力とを所定の関係式に代入することによって上記複数の信号と合波信号との各信号が経路伝送時に損失する各信号の経路損失値を演算する演算部とを備える。
【０００７】
【発明の実施の形態】
実施の形態１．
本実施の形態では、経路算出方法を送信側の波長多重部に適用することにより、一般的にｎ波長の光信号におけるｎ経路の損失値を算出する方法について説明する。
本実施の形態の発明は、各増幅器（各光ファイバ増幅器）間の損失値演算方法として、各増幅器（光ファイバ増幅器）の増幅率（光増幅率）と出力電力（光出力パワー）及び各増幅器（光ファイバ増幅器）間の経路損失値の間に一定の関係式が成り立つことを利用する。すなわち、本実施の形態の発明では、各増幅器（光ファイバ増幅器）の増幅率（光増幅率）を調整することにより、各増幅器（光ファイバ増幅器）の出力電力（光出力パワー）を微小変動させ、別の関係式を成立させる。これを未知数である経路損失値の個数分繰り返すことにより、複数の関係式を導出し、これらの関係式を解くことにより、各経路損失値を、経路遮断を行うことなく、光信号が導通した状態で測定することを特徴とする。
【０００８】
以下に示す実施の形態では、光通信システムを用いて光信号が光ファイバ上を通過する場合に失う経路損失値を算出する手段について説明するが、これは、本発明の実施の形態の一例であり、光信号以外の電気信号などを用いて通信する通信システムにおいても本実施の形態で示す方法により各信号の経路損失値を算出することができる。
【０００９】
以下、本実施の形態について説明する。
図１は、本実施の形態の発明を適用可能な測定装置のブロック図である。
図に示すとおり、測定装置は、入力された複数の入力信号を各々増幅し、第１の信号及び第２の信号として出力する入力信号増幅器１及び入力信号増幅器２と、入力信号増幅器１が出力した第１の信号と入力信号増幅器２が出力した第２の信号とを合波し、合波信号として出力する合波器３と、合波器３が合波した合波信号を増幅して出力する合波信号増幅器４と、入力信号増幅器１が入力信号を増幅する増幅率Ｇ１を測定する増幅率測定部５と入力信号増幅器２が入力信号を増幅する増幅率Ｇ２を測定する増幅率測定部６と合波信号増幅器４が合波信号を増幅する増幅率Ｇ０を測定する増幅率測定部７と、入力信号増幅器１が出力した第１の信号の出力電力Ｐ１を測定する出力電力測定部８と入力信号増幅器２が出力した第２の信号の出力電力Ｐ２を測定する出力電力測定部９と合波信号増幅器４が出力した合波信号の出力電力Ｐ０を測定する出力電力測定部１０と、増幅率測定部７が測定した増幅率Ｇ０と出力電力測定部８及び出力電力測定部９及び出力電力測定部１０が測定した各信号の出力電力Ｐ１、Ｐ２、Ｐ０とを所定の関係式に代入することによって第１の信号と第２の信号と合波信号との各信号が経路伝送時に損失する各信号の経路損失値を演算する演算部２０とから構成される。
【００１０】
測定装置の各構成要素について説明する。
光信号を増幅する入力信号増幅器１（光ファイバ増幅器）は、入力信号増幅器１の増幅率（光増幅率）Ｇ１を測定する増幅率測定部５（ＯＰＴＩＣＡＬ  ＧＡＩＮ  ＭＯＮＩＴＯＲＩＮＧ）及び入力信号増幅器１から出力された第１の信号の出力電力Ｐ１を測定する出力電力測定部８（ＯＰＴＩＣＡＬ  ＰＯＷＥＲ  ＭＯＮＩＴＯＲＩＮＧ）により監視されている。
同様に、光信号を増幅する入力信号増幅器２（光ファイバ増幅器）は、入力信号増幅器２の増幅率（光増幅率）Ｇ２を測定する増幅率測定部６及び入力信号増幅器２から出力された第２の信号の出力電力Ｐ２を測定する出力電力測定部９により監視されている。
合波器３（光合波器）は、上記入力信号増幅器１にて増幅された第１の信号と上記入力信号増幅器２にて増幅された第２の信号とを合波する。
合波信号増幅器４（光ファイバ増幅器）は、合波器３によって合波された合波信号（合波光信号）を増幅する。合波信号増幅器４は、合波信号増幅器４の増幅率Ｇ０を測定する増幅率測定部７及び合波信号増幅器４から出力された合波信号の出力電力Ｐ０を測定する出力電力測定部１０により監視されている。
入力信号増幅器１と入力信号増幅器２と合波器３と合波信号増幅器４とは光ファイバコードによって接続されている。
演算部２０は、合波信号増幅器４を監視して取得した増幅率Ｇ０及び入力信号増幅器１と入力信号増幅器２と合波信号増幅器４とを監視して各々取得した出力電力Ｐ１、Ｐ２、Ｐ０とを後述する関係式に入力して各増幅器間の経路損失値を演算する。
【００１１】
ここで、経路損失値Ｌ１は、第１の信号が入力信号増幅器１から出力された時点から合波器３に入力され、さらに、合波器３から出力される時点までの経路（経路１）を通過する間に損失する値である。
また、経路損失値Ｌ２は、第２の信号が入力信号増幅器２から出力された時点から合波器３に入力され、さらに、合波器３から出力される時点までの経路（経路２）を通過する間に損失する値である。
さらに、経路損失値Ｌ０は、合波信号が合波器３から出力された時点から合波信号増幅器４に入力されるまでの経路（経路０）を通過する間に損失する値である。
【００１２】
本実施の形態においては、２波長の波長分割多重伝送が用いられている状態を示す。
次に、互いに異なる中心波長をもつ光信号（第１の信号と第２の信号）を送出する２個の入力信号増幅器１（光ファイバ増幅器）及び入力信号増幅器２（光ファイバ増幅器）と、これらの２波長の信号を合波する合波器３と、合波信号を増幅する合波信号増幅器４（光ファイバ増幅器）と、各増幅器の増幅率を測定する増幅率測定部５、６、７と、各増幅器の出力電力を測定する出力電力測定部８、９、１０と、各増幅率、光出力電力から、各増幅器（光ファイバ増幅器）間の経路損失値を演算する演算部２０について説明する。
【００１３】
２経路の信号を合波する合波器３では、増幅率Ｇ０（合波信号増幅器４の光増幅率）、出力電力Ｐ０、Ｐ１、Ｐ２（光出力）、及び経路損失値（Ｌ０、Ｌ１、Ｌ２）の間に以下の関係式がり立つ。なお、以下の関係式の各値は真数とする。
（Ｐ０／Ｇ０）×Ｌ０＝Ｐ１／Ｌ１＋Ｐ２／Ｌ２      −  （１）
ここでＧ０を測定することにより、上記関係式における未知数はＬ０、Ｌ１、Ｌ２の３個となる。一方、前段の各光ファイバ増幅器の光増幅率を一方づつ調整することにより、出力電力Ｐ１、Ｐ２を微小変動させる（Ｐ１’、Ｐ２’）と、合波信号の出力電力も変動（Ｐ０’、Ｐ０”）し、以下の関係式が得られる。
（Ｐ０’／Ｇ０）×Ｌ０＝Ｐ１’／Ｌ１＋Ｐ２／Ｌ２      −  （２）
（Ｐ０”／Ｇ０）×Ｌ０＝Ｐ１／Ｌ１＋Ｐ２’／Ｌ２      −  （３）
この３元連立一次方程式を解くことにより、未知数である経路損失値Ｌ０、Ｌ１、Ｌ２が求まる。
すなわち、合波信号増幅器４の増幅率Ｇ０を調整することにより、各増幅器（入力信号増幅器１、入力信号増幅器２、合波信号増幅器４）の出力電力を微小変動させ別の関係式を成立させる。これを未知数である経路損失値の個数分繰り返すことにより、複数の関係式を導出し、これらの関係式を解くことにより、経路遮断を行うことなく、光信号が導通した状態で各経路損失値を測定する。このようにして、経路損失値の算出が可能となる。
【００１４】
これを一般的にｎ波長の信号におけるｎ経路の合波に拡張することにより、ｎ＋１回の出力調整で、各経路（経路０、経路１〜経路ｎ）の経路損失値（Ｌ０、Ｌ１〜Ｌｎ）が算出可能となる。
図２にｎ経路の合波例の場合の測定装置のブロック図を示す。
図２では、入力信号増幅器がｎ個存在し、増幅率Ｇ０（合波信号増幅器４の光増幅率）、出力電力Ｐ０、Ｐ１〜Ｐｎ及び経路損失値（Ｌ０、Ｌ１〜Ｌｎ）の間に以下の関係式が成り立つ。
2004212176.tif 000003
この方程式を解くことにより、経路損失値Ｌ０、Ｌ１〜Ｌｎが求まる。
【００１５】
本実施の形態のＷＤＭ信号光の合波部（合波器３及びその周辺）に係る増幅器（光ファイバ増幅器）間の経路損失値を測定する測定装置は、各増幅器（光ファイバ増幅器）間の損失値演算方法として、各増幅器（光ファイバ増幅器）の増幅率（光増幅率）と各信号の出力電力（光出力パワー）、及び各増幅器（光ファイバ増幅器）間の経路損失値の間に一定の関係式が成り立つことを利用し、各増幅器（光ファイバ増幅器）の増幅率（光増幅率）を調整することにより、各増幅器（光ファイバ増幅器）の出力電力（光出力パワー）を微小変動させ、複数の関係式を導出し、同関係式を解くことにより、未知数であった各増幅器（光ファイバ増幅器）の経路損失値を算出することができる。
したがって、この方法を用いた結果、各経路損失値測定時の経路遮断が不要となるため、光信号が導通した状態で、各経路の経路損失値を測定することが可能となる。
また、信号の出力電力（光出力）の変動を最小限に留めることにより、他経路を通過する光信号への影響を最小限に留めることが可能となるため、信号光が通信した状態での経路損失値算出が可能となるため、継続監視による各経路間損失の経年劣化をモニタリングすることが可能となる。
【００１６】
実施の形態２．
次に、経路算出方法を受信側の波長分離部に適用することにより、送信側の波長多重部と同様、一般的にｎ波長の光信号におけるｎ経路の損失値を算出する方法について述べる。
図３に、２経路の合波例の場合の測定装置のブロック図を示す。
本実施の形態の測定装置には、実施の形態１の合波器に替えて、入力信号を分波する分波器１２が備えられている。他の構成要素は実施の形態１と基本的に同一であるので説明を省略する。
【００１７】
次に動作について説明する。
入力信号増幅器１１は、入力された入力信号を増幅して出力する。入力信号増幅器１１が出力した信号は、分波器１２によって分波され、複数の分波信号となって出力される。分波信号増幅器１３と分波信号増幅器１４とは、分波器１２が分波した複数の分波信号を増幅して出力する。
増幅率測定部７は、入力信号増幅器１１が入力信号を増幅する増幅率Ｇ０を測定し、増幅率測定部５は、分波信号増幅器１３が分波信号を増幅する増幅率Ｇ１を測定し、増幅率測定部６は、分波信号増幅器１４が分波信号を増幅する増幅率Ｇ２を測定する。
出力電力測定部１０は、入力信号増幅器１１が出力した信号の出力電力Ｐ０と分波信号増幅器１３が出力した分波信号の出力電力Ｐ１と分波信号増幅器１４が出力した分波信号の出力電力Ｐ２とを各々測定する。
【００１８】
演算部２０は、増幅率測定部７が測定した増幅率Ｇ０と出力電力測定部８及び出力電力測定部９及び出力電力測定部１０が測定した出力電力Ｐ０、Ｐ１、Ｐ２とを以下で示した関係式（１）（２）（３）に代入することによって入力信号増幅器１１から出力された信号と分波信号増幅器１３に入力される分波信号と分波信号増幅器１４に入力される分波信号の各信号が経路伝送時に損失する各信号の経路損失値を演算する。
Ｐ０／Ｌ０＝（Ｐ１／Ｇ１）×Ｌ１＋（Ｐ２／Ｇ２）×Ｌ２      −  （１）
Ｐ０’／Ｌ０＝（Ｐ１’／Ｇ１）×Ｌ１＋（Ｐ２’／Ｇ２）×Ｌ２      −  （２）
Ｐ０”／Ｌ０＝（Ｐ１”／Ｇ１）×Ｌ１＋（Ｐ２”／Ｇ２）×Ｌ２      −  （３）
【００１９】
ここで、経路損失値Ｌ１は、分波器１２で分波された分波信号の一つが分波信号増幅器１３へ入力される時点までの経路（経路１）を通過する間に損失する値である。
また、経路損失値Ｌ２は、分波器１２で分波された分波信号の一つが分波信号増幅器１４へ入力される時点までの経路（経路２）を通過する間に損失する値である。
さらに、経路損失値Ｌ０は、信号が入力信号増幅器１１から出力された時点から分波信号増幅器１２に入力されるまでの経路（経路０）を通過する間に損失する値である。
【００２０】
上記すべての実施の形態において、各増幅器（入力信号増幅器、合波信号増幅器、分波信号増幅器）が光ファイバ増幅器の場合には、各光ファイバ増幅器の増幅率（光増幅率）は、例えば各光ファイバ増幅器の入力、及び出力部に分岐光を取り出せるように光分岐器を設けておき、各光分岐器から取り出した分岐光出力を、フォトダイオードを用いた測定器でモニタリングすることにより、入出力部の分岐光の差と、光分岐器の分岐比率とから、測定することが可能である。
【００２１】
また、上記すべての実施の形態において、各増幅器（入力信号増幅器、合波信号増幅器、分波信号増幅器）が光ファイバ増幅器の場合には、各光ファイバ増幅器の光出力は、例えば各光ファイバ増幅器の出力部に分岐光を取り出せるように光分岐器を設けておき、各光分岐器から取り出した分岐光出力を、フォトダイオードを用いた測定器でモニタリングすることにより、出力部の分岐光と、光分岐器の分岐比率とから、測定することが可能である。
【００２２】
本実施の形態のＷＤＭ信号光の分波部（合波器３及びその周辺）に係る増幅器（光ファイバ増幅器）間の経路損失値を測定する測定装置においても、実施の形態１と同様な方法によって経路損失値を測定することができる。したがって、この方法を用いた結果、各経路損失値測定時の経路遮断が不要となるため、光信号が導通した状態で、各経路の経路損失値を測定することが可能となる。また、信号光が通信した状態での経路損失値算出が可能となるため、継続監視による各経路間損失の経年劣化をモニタリングすることが可能となる。
【００２３】
図４は、本発明における測定装置のコンピュータ基本構成図である。
図４において、プログラムを実行するＣＰＵ４０は、バス３８を介してモニタ４１、キーボード４２、マウス４３、通信ポート４４、磁気ディスク装置４６等と接続されている。
磁気ディスク装置４６には、ＯＳ４７、プログラム群４９、ファイル群５０が記憶されている。ただし、プログラム群４９、ファイル群５０が一体となってオブジェクト指向のプログラム群４９を形成する形態も一実施の形態として考えられる。
プログラム群４９は、ＣＰＵ４０、ＯＳ４７により実行される。
上記各実施の形態においては、演算部２０はＣＰＵ４０を用いて上記関係式による演算を行い、経路損失値を算出する。
【００２４】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
また、上記各構成要素の動作を、各構成要素の処理と置き換えることにより、プログラムの実施の形態とすることができる。
また、プログラムを、プログラムを記録したコンピュータ読み取り可能な記録媒体に記憶させることで、プログラムに記録したコンピュータ読み取り可能な記録媒体の実施の形態とすることができる。
【００２５】
従って、上記測定装置の各構成要素の動作は、
入力された複数の信号を各々増幅して出力する処理と、
上記出力した複数の信号を合波して合波信号として出力する処理と、
上記出力した合波信号を増幅して出力する処理と、
上記出力した合波信号を増幅する増幅率を測定する処理と、
上記出力した複数の信号の出力電力と上記出力した合波信号の出力電力とを各々測定する処理と、
上記測定した増幅率と上記測定した複数の信号の出力電力と上記測定した合波信号の出力電力とを所定の関係式に代入することによって、上記測定した複数の信号と上記測定した合波信号とが経路伝送時に各々損失する各信号の経路損失値を算出する処理とをコンピュータに実行させる測定プログラムの実施の形態に置き換えることができる。
【００２６】
また、上記測定装置の各構成要素の動作は、
入力された信号を増幅して出力する処理と、
上記出力した信号を複数の分波信号として分波する処理と、
上記分波した複数の分波信号を増幅して出力する処理と、
上記入力された信号を増幅する増幅率を測定する処理と、
上記出力した信号の出力電力と上記出力した複数の分波信号の出力電力とを各々測定する処理と、
上記測定した増幅率と上記測定した信号の出力電力と上記測定した複数の分波信号の出力電力とを所定の関係式に代入することによって、上記測定した信号と上記測定した複数の分波信号とが経路伝送時に各々損失する各信号の経路損失値を算出する処理とをコンピュータに実行させる測定プログラムの実施の形態に置き換えることができる。
【００２７】
プログラムの実施の形態及びプログラムに記録したコンピュータ読み取り可能な記録媒体の実施の形態は、すべてコンピュータで動作可能なプログラムにより構成することができる。
プログラムの実施の形態およびプログラムを記録したコンピュータ読み取り可能な記録媒体の実施の形態における各処理はプログラムで実行されるが、このプログラムは、記録装置に記録されていて、記録装置から中央処理装置（ＣＰＵ）に読み込まれ、中央処理装置によって、各フローチャートが実行されることになる。
また、各実施の形態のソフトウェアやプログラムは、ＲＯＭ（ＲＥＡＤ  ＯＮＬＹ  ＭＥＭＯＲＹ）に記憶されたファームウェアで実現されていても構わない。あるいは、ソフトウェアとファームウェアとハードウェアとの組み合わせで前述したプログラムの各機能を実現しても構わない。
【００２８】
【発明の効果】
本発明によれば、各増幅器の増幅率を調整して各増幅器の出力電力を微小変動させることにより測定される所定の測定値を一定の関係式に代入して関係式を解くことにより、信号が導通した状態で経路損失値を算出することができる。よって、継続監視による各経路間損失の経年劣化をモニタリングすることが可能となる。
【図面の簡単な説明】
【図１】実施の形態１における測定装置（２経路の合波例）のブロック図である。
【図２】実施の形態１における測定装置（ｎ経路の合波例）のブロック図である。
【図３】実施の形態２における測定装置（２経路の合波例）のブロック図である。
【図４】測定装置のコンピュータ基本構成図である。
【符号の説明】
１，２，１１，２３  入力信号増幅器、３  合波器、４  合波信号増幅器、５，６，７，２１  増幅率測定部、８，９，１０，２２  出力電力測定部、１２  分波器、１３，１４  分波信号増幅器、２０  演算部、３８  バス、４０  ＣＰＵ、４１  モニタ、４２  キーボード、４３  マウス、４４  通信ポート、４６磁気ディスク装置、４７  ＯＳ、４９  プログラム群、５０  ファイル群。
【図１】
2004212176.tif 000004
【図２】
2004212176.tif 000005
【図３】
2004212176.tif 000006
【図４】
2004212176.tif 000007